(57)【要約】【課題】高デザインな意匠性を確保するとともに、コスト高にならず、さらに分別容易な水栓のキャップ固定構造を提供する。【解決手段】水栓本体に設けられた吐水ハンドルのキャップ固定構造であって、キャップは前記吐水ハンドルに嵌合する弾性部材を備えた軸部を有し、前記軸部にはエアーを抜くための孔を開口し、前記キャップと嵌合する前記吐水ハンドルの内面に前記弾性部材を係止する係合溝を備えたことを特徴とする水栓のキャップ固定構造とした。【選択図】  図３
2004293263.tif 000002
【特許請求の範囲】
【請求項１】
水栓本体に設けられた吐水ハンドルのキャップ固定構造であって、キャップは前記吐水ハンドルに嵌合する弾性部材を備えた軸部を有し、前記キャップと嵌合する前記吐水ハンドルの内面に前記弾性部材を係止する係合溝を備えたことを特徴とする水栓のキャップ固定構造。
【請求項２】
前記軸部にはエアーを抜くための孔を開口したことを特徴とする請求項１記載の水栓のキャップ固定構造。
【発明の詳細な説明】
【０００１】
【発明の属する技術分野】
本発明は、水栓におけるシリンダーバルブの固定部分おけるキャップ装着において、高デザインでありキャップが着脱自在な水栓のキャップ固定構造に関する。
【０００２】
【従来の技術】
従来技術としては、図４に示すように水栓用ハンドル１を、天井部７付の筒形状のハンドルカバー５と、天井部６付の筒形状のハンドル本体４との二重筒構造となし、それらを各天井部７、６において係合爪２と係合溝３とにより抜け方向及び回転方向に固定したものがある（例えば、特許文献１を参照のこと。）。
【０００３】
また、別の従来技術としては、水栓用ハンドルの中には、そのハンドル本体を、弁装置の操作軸に対して別材の取付具を介して組み付けたものがある。
例えば、図５に示すように、ハンドル本体１０を、樹脂等を用いて成形する際にインサートされた取付具１１を介して、このハンドル本体１０を弁装置８より突出する操作軸９にネジ止固定することが行われている。
その構成は、水栓金具にも多用されており、周知の技術である（例えば、特許文献２を参照のこと。）。
【０００４】
【特許文献１】
特開２０００−２２０１７６号公報
【特許文献２】
特開２００１−２１４４８２号公報
【０００５】
【発明が解決しようとする課題】
しかしながら、従来技術として開示されている水栓用ハンドルとして、図５に示す水栓ハンドル１を内筒部材と外筒部材との二重筒構造となした場合において、それらを周壁部で固定することに起因して生ずるハンドルの大型化や組付部材点数の増加によりコスト高などの問題が発生する。
又近年、水栓金具においても、その廃棄やリサイクルの円滑化を図ることが要求されており、このためには、水栓を構成する部材を材質が異なる部材毎に分別容易であることが要求される。従って、図６に示す様に水栓用ハンドル１０においても、ハンドル本体２０と取付具１１とが分別容易であることが要求されるが、上記従来例では、取付具１１とハンドル本体２０との分離が困難なため、この分別を効率的に行うことが出来ない。
又樹脂等によって構成されるハンドル本体２０においては、その意匠性の向上等を意図してメッキ加工が施されることがある。
しかし、図６に示す従来例では、取付具１１及びハンドル本体２０の材質における膨張率の相違から、メッキ加工の途中で両者間に無用な隙間を生ずることがある。
よって本発明は、上記問題点に鑑み、高デザインな意匠性を確保するとともに、コスト高にならず、さらに分別容易な水栓のキャップ固定構造を提供することを目的とする。
【０００６】
【課題を解決するための手段】
本目的を達成するため、請求項１では、水栓本体に設けられた吐水ハンドルのキャップ固定構造であって、キャップは前記吐水ハンドルに嵌合する弾性部材を備えた軸部を有し、前記キャップと嵌合する前記吐水ハンドルの内面に前記弾性部材を係止する係合溝を備えたことを特徴とする。
これにより、キャップを吐水ハンドルの内面に設けた係合溝に嵌合するため、ハンドル自体が大型にならず高デザインな意匠性を確保でき、部材点数も多くならないため、コスト高にならない。
【０００７】
請求項２においては、前記軸部にはエアーを抜くための孔を開口したことを特徴とする。
これにより、吐水ハンドルとキャップの固定において、キャップを容易に装着及び脱着することが可能になり、廃棄やリサイクルの円滑化を図るために分別を効率的に行うことができる。
【０００８】
【発明の実施の形態】
以下に図面を参照して本発明をより具体的に説明する。
図１は本発明の実施形態である水栓の正面図である。本発明は、レストルームやキッチンの水栓金具として使用するものでありレストルームやキッチンに設置されたカウンターＫに取り付ける水栓３０のキャップ固定構造に関するものである。この水栓３０は、非常にシンプルな細身の形状、且つ非常に高デザインな商品となっている。
水栓と給水管との連結タイプは、銅管直結タイプとフレキホース直結タイプがあり、カウンターＫと水栓３０の固定は菊座金３１と六角ナット３２で固定される。
水栓３０は、細身の形状に加えハンドル部３７においても従来のスピンドル仕様のライジング式からシリンダーバルブ３３を用いることによりハンドル部３７の開閉角度は９０°であり、尚且つレバーハンドル式である為、指先での簡単な操作でハンドル部３７の開閉が自在となり、老人や手の不自由な人でも簡単に操作出来るハンドル部３７を有する水栓３０である。又、ノンライジング方式と同様で開閉による吐水口５０は整流キャップ仕様にし整流板と整流網を具備し、低圧でも美しい整流を実現した水栓３０である。
【０００９】
図２は本発明の実施形態を説明する水栓の側部断面図である。図３は本発明のハンドルキャップの実施形態を説明する断面図である。図４は図２のＰ部拡大図でハンドルキャップをハンドル部に固定状態を示した図である。
本発明に係る水栓３０の構造は、以下の様になっている。
ハンドルキャップ３４の装着をビス止めより弾性部材であるＯリング式に変更することにより、ハンドルキャップ３４の上面はビス取り付けの加工跡も無く、平面で高デザインであるため、意匠性を更に高めている。又、この水栓３０は単水栓である為、ハンドルキャップ３４に方向性もなくＯリング式に変更する事により組み立て時間の短縮にもなる。しかも取り付けと取り外しが容易に出来る構造となっている。
さらに、嵌合部材としてＯリング３９を用いることにより、安価な市販品にて対応できるため、コスト高になることもない。ここでは、弾性部材をＯリングとしているが、同様に安価な樹脂製あるいはゴム製のパッキン等にすることも可能である。
なお、ハンドルキャップ３４はハンドル部３７と同材質としているため、立水栓３０を廃棄する際の分別作業も異材質の場合に比べ、楽に行うことが可能になる。
【００１０】
水栓の構成について簡単に説明すると、まず、シリンダーバルブ３３を水栓本体３５に取付け、キャップナット３６を本体にねじ込み、シリンダーバルブ３３を水栓本体３５に固定する。ハンドル部３７をシリンダーバルブ３３の軸に嵌め込み、タッピンネジ３８にてハンドル部３７とシリンダーバルブ３３を接続した後、ハンドルキャップ軸部４３にオイルを塗布したＯリング３９を装着する。
【００１１】
図３及び図４に示すように、次に、Ｏリング３９を装着したハンドルキャップ３４を軸部４３によりハンドルの係合溝４０に嵌合させる。
又、Ｏリング３９の嵌合の構造はハンドルキャップ軸部４３の下部ガイド部４４とハンドル係合溝上部４２にてＯリングを挟み込む構造とした。
このような構造とすることで確実にハンドルキャップ３４がハンドル部３７に固定される。
【００１２】
しかし、Ｏリング３９と係合溝４０の嵌合がきつく、ハンドルキャップ３４とハンドル部３７の間のエアがハンドルキャップ３４の嵌合時に逃げることがないので、嵌合時の抵抗が大きくなる。これを防ぐため、ハンドルキャップ３４のハンドルキャップ軸部４３にはエアー抜きの孔４１を外方向に設けている。これにより、ハンドル部３７にハンドルキャップ３４を嵌合させる際、エアー詰まりも無くスムーズに挿入出来る。
【００１３】
さらに、このハンドルキャップ３４はハンドル３７と同径としている為、水栓３０を上面から見た場合において隙間もなく外観的に非常に美しいハンドルキャップ３４となっている。
また、図３において、ハンドルキャップ３４の形状は上面を平面形状としているが、円弧状や他形状としても何ら差し支えない。
また、実施例として示した水栓は単水栓であるが、他の水栓、例えば湯水を混合する混合水栓等のハンドルキャップ部に使用することもできる。
【００１４】
【発明の効果】
本目的を達成するため、請求項１では、水栓本体に設けられた吐水ハンドルのキャップ固定構造であって、キャップは前記吐水ハンドルに嵌合する弾性部材を備えた軸部を有し、前記キャップと嵌合する前記吐水ハンドルの内面に前記弾性部材を係止する係合溝を備えたことを特徴とする。
これにより、キャップを吐水ハンドルの内面に設けた係合溝に嵌合するため、ハンドル自体が大型にならず高デザインな意匠性を確保でき、部材点数も多くならないため、コスト高にならない。
請求項２においては、前記軸部にはエアーを抜くための孔を開口したことを特徴とする。
これにより、吐水ハンドルとキャップの固定において、キャップを容易に装着及び脱着することが可能になり、廃棄やリサイクルの円滑化を図るために分別を効率的に行うことができる。
【図面の簡単な説明】
【図１】本件発明の一実施の形態である水栓の正面図を示す。
【図２】本件発明における別の一実施の形態である水栓の側部断面図を示す。
【図３】本発明の一実施の形態であるハンドルとキャップの断面図を示す。
【図４】図２のＰ部を拡大した断面図を示す。
【図５】従来技術の一実施の形態であるハンドルの断面図を示す。
【図６】従来技術の一実施の形態であるハンドルの断面図を示す。
【符号の説明】
Ｋ：カウンター
１：水栓用ハンドル
２：係合爪
３：係合溝
４：ハンドル本体
５：ハンドルカバー
６、７：天井部
８：弁装置
９：操作軸
１０：水栓用ハンドル
１１：取付具
１２：ハンドル本体
３０：水栓
３１：菊座金
３２：六角ナット
３３：シリンダーバルブ
３４：ハンドルキャップ
３５：水栓本体
３６：キャップナット
３７：ハンドル部
３８：タッピンネジ
３９：Ｏリング
４０：係合溝
４１：エアー抜き孔
４２：ハンドル係合溝上部
４３：ハンドルキャップ軸部
４４：下部ガイド部
５０：吐水口
【図１】
2004293263.tif 000003
【図２】
2004293263.tif 000004
【図３】
2004293263.tif 000005
【図４】
2004293263.tif 000006
【図５】
2004293263.tif 000007
【図６】
2004293263.tif 000008